(57)【要約】【課題】  歯科用ハンドピース内の余分なオイルを除去しなくてもそのままケース本体内に収納して、収納状態でオイル除去ができるようにし、オイルの除去作業時間を短縮し、収納時の作業効率の向上を図る。【解決手段】  歯科用ハンドピース２を収納するケース本体１と、ケース本体１の開口部２を開閉する開閉体１０と、ケース本体１内に設けられケース本体１内の歯科用ハンドピースＰに紫外線を照射する紫外線照射ランプ２０と、ケース本体１内に設けられるとともに複数の歯科用ハンドピースＰを起立した状態で収容する容器３０とを備え、容器３０を、歯科用ハンドピースＰの一端が支承され歯科用ハンドピースＰ内から流出するオイルを吸収する吸収部材Ｋが敷設可能な底壁３１と、歯科用ハンドピースＰの他端側が寄り掛けられ紫外線照射ランプ２０からの紫外線が透過可能な網状の側壁３２とを備えて構成した。【選択図】  図２
2009273485.tif 000002
【特許請求の範囲】
【請求項１】
歯科用ハンドピースを出し入れ可能な開口部を有し該歯科用ハンドピースを収納するケース本体と、該ケース本体の開口部を開閉する開閉体と、該ケース本体内に設けられケース本体内の歯科用ハンドピースに紫外線を照射する紫外線照射ランプとを備えた歯科用ハンドピースの保管ケースにおいて、
上記ケース本体内に設けられるとともに複数の歯科用ハンドピースを起立した状態で収容する容器を備え、該容器を、歯科用ハンドピースの一端が支承され該歯科用ハンドピース内から流出するオイルを吸収する吸収部材が敷設可能な底壁と、該歯科用ハンドピースの他端側が寄り掛けられ上記紫外線照射ランプからの紫外線が透過可能な網状の側壁とを備えて構成したことを特徴とする歯科用ハンドピースの保管ケース。
【請求項２】
上記底壁に上記オイルが通過可能な多数の孔を形成したことを特徴とする請求項１記載の歯科用ハンドピースの保管ケース。
【請求項３】
上記底壁に複数の歯科用ハンドピースを仕切る仕切り板を立設したことを特徴とする請求項１または２記載の歯科用ハンドピースの保管ケース。
【請求項４】
上記底壁を側壁に対して上下位置可変にしたことを特徴とする請求項１乃至３何れかに記載の歯科用ハンドピースの保管ケース。
【請求項５】
上記底壁を側壁に対して上下動可能になるように該側壁に遊嵌する大きさに形成し、該底壁の適宜の上下位置で上記側壁の網目に差し込まれて該側壁に架設され該底壁を支持する支持部材を備えたことを特徴とする請求項４記載の歯科用ハンドピースの保管ケース。
【請求項６】
上記ケース本体を、上に開口部を有した箱状に形成し、上記開閉体を、該ケース本体の開口部に載置されて該開口部を覆って閉じ、該開口部から離間させられて該開口部を開く蓋状に形成し、上記ケース本体に、該ケース本体の開口部から該ケース本体内に設けられた容器の開口のみを露出させる覆い板を設けたことを特徴とする請求項１乃至５何れかに記載の歯科用ハンドピースの保管ケース。
【請求項７】
上記開閉体が上記ケース本体の開口部を閉じたとき上記紫外線照射ランプを点灯し、上記開閉体が上記ケース本体の開口部を開いたとき上記紫外線照射ランプを消灯するスイッチを設けたことを特徴とする請求項６記載の歯科用ハンドピースの保管ケース。
【発明の詳細な説明】
【技術分野】
【０００１】
本発明は、歯科治療で使用する歯科用ハンドピースを保管する歯科用ハンドピースの保管ケースに係り、特に、紫外線を照射して持続的に殺菌する歯科用ハンドピースの保管ケースに関する。
【背景技術】
【０００２】
一般に、歯科治療において、使用する歯科用ハンドピースは、衛生上の理由から、例えば、複数本用意し、これらを、滅菌消毒後、滅菌パックに封入保管し、あるいは、保管ケースに保管しておき、治療する患者ごとに交換して用いることを行なう。
従来、歯科用ハンドピースの保管ケースとしては、例えば、特許文献１（特開２００６−２８０８３２号公報）に掲載されたものが知られている。
図５に示すように、この保管ケースＣａは、歯科用ハンドピースＰを出し入れ可能な開口部１０１を有し歯科用ハンドピースＰを収納するケース本体１００と、ケース本体１００の開口部１０１を開閉する開閉体１０２と、ケース本体１００内に設けられ歯科用ハンドピースＰのヘッド（先端側）を上にしてその基端側を着脱自在に立置支持する複数の支持孔１０３が設けられたターンテーブル１０４と、ケース本体１００内に設けられターンテーブル１０４に立置支持された歯科用ハンドピースＰに紫外線を照射する多数の紫外線照射ランプ（ＬＥＤ）１０５とを備えている。
【０００３】
そして、歯科用ハンドピースＰをケース本体１００に入れるときは、開閉体１０２を開けて歯科用ハンドピースＰをターンテーブル１０４の支持孔１０３に立置支持し、開閉体１０２を閉じる。ケース本体１００内では、紫外線照射ランプ１０５から紫外線が照射され、歯科用ハンドピースＰに付着した細菌が殺菌される。歯科用ハンドピースＰを使用するときは、開閉体１０２を開けて必要な歯科用ハンドピースＰをターンテーブル１０４から取り出し、治療の用に供する。
【０００４】
ところで、一般に、歯科用ハンドピースＰを保管する際には、予め、歯科用ハンドピースＰを、例えば、高圧蒸気釜（オートクレーブ）や高温のオイルの中で加熱殺菌し、その後、歯科用ハンドピースＰには回転機構部分があることから、注油洗浄機で機械部分に注油することを行なう。この場合、歯科用ハンドピースＰへの注油後においては、歯科用ハンドピースＰ内の余分なオイルが滲み出易く、べとべとになるので、例えば、注油後に外側にふりかかったオイルをよく拭き取り、駆動ホースに接続して時間をかけて空回し、内部のオイルを排出してから、滅菌パックに封入し、あるいは、保管ケースＣａへ収納している。
【０００５】
【特許文献１】特開２００６−２８０８３２号公報
【発明の開示】
【発明が解決しようとする課題】
【０００６】
しかしながら、上記従来の歯科用ハンドピースＰの保管において、前者の滅菌パックに封入する方法では、オイルの拭き取りと空気を通しての空回し時に、どうしても歯科用ハンドピースが汚れることから十分な滅菌状態にはならない。また、滅菌パックに封入した状態で紫外線を照射するようにしても、滅菌パックは紫外線を通さないことから殺菌状態を維持できない。更には、予め、歯科用ハンドピースＰ内の余分なオイルを完全に除去した後に、滅菌パックに封入するので、それだけ、作業が煩雑になっており、作業効率が悪いという問題があった。
一方、後者の保管ケースＣａにあっては、滅菌パックに封入する方法に比較して、歯科用ハンドピースに直接紫外線を照射することができるので、殺菌状態を保持できる利点はあるが、滅菌パックと同様に、予め、歯科用ハンドピースＰ内の余分なオイルを完全に除去した後に、保管ケースＣａへ収納しなければならないので、それだけ、作業が煩雑になっており、作業効率が悪いという問題があった。もし、歯科用ハンドピースＰ内の余分なオイルを除去することなく、ターンテーブル１０４に立置支持する場合には、歯科用ハンドピースＰの基端側からはオイルが出ないので、内部にオイルが溜まったままになる。仮に、歯科用ハンドピースＰのヘッド（先端側）を下にしてターンテーブルに支持した場合には、オイルはヘッド（先端側）からは滲み出ることから、オイルが抜けるようになるが、滲み出たオイルがターンテーブル１０４に付着し、ターンテーブル１０４を汚してしまい、好ましくない。
【０００７】
本発明は上記の問題点に鑑みて為されたもので、歯科用ハンドピースを保管する際に、予め、歯科用ハンドピース内の余分なオイルを時間をかけて除去しなくてもそのままケース本体内に収納して、収納状態でオイル除去ができるようにし、オイルの除去作業時間を短縮し、また、収納時の作業効率の向上を図った歯科用ハンドピースの保管ケースを提供することを目的とする。
【課題を解決するための手段】
【０００８】
このような目的を達成するための本発明の技術的手段は、歯科用ハンドピースを出し入れ可能な開口部を有し該歯科用ハンドピースを収納するケース本体と、該ケース本体の開口部を開閉する開閉体と、該ケース本体内に設けられケース本体内の歯科用ハンドピースに紫外線を照射する紫外線照射ランプとを備えた歯科用ハンドピースの保管ケースにおいて、
上記ケース本体内に設けられるとともに複数の歯科用ハンドピースを起立した状態で収容する容器を備え、該容器を、歯科用ハンドピースの一端が支承され該歯科用ハンドピース内から流出するオイルを吸収する吸収部材が敷設可能な底壁と、該歯科用ハンドピースの他端側が寄り掛けられ上記紫外線照射ランプからの紫外線が透過可能な網状の側壁とを備えて構成している。
【０００９】
これによれば、予め、容器の底壁に吸収部材を敷設しておく。吸収部材としては、例えば、ガーゼや濾紙が用いられる。そして、開閉体を開け、ケース本体の開口部から歯科用ハンドピースを、ヘッド（先端側）を下にして、適宜の数、容器内に縦にして入れ、再び、開閉体でケース本体の開口部を閉じる。これにより、ケース本体内では、紫外線照射ランプから紫外線が容器内の歯科用ハンドピースに照射され、歯科用ハンドピースに付着した細菌が殺菌される。このケース本体の容器に入れる歯科用ハンドピースは、予め、例えば、高圧蒸気釜（オートクレーブ）や高温のオイルの中で加熱殺菌され、その後、注油洗浄機で機械部分に注油されていても、注油後、そのまま、容器に収容することができる。即ち、歯科用ハンドピースは、容器に入れられた状態では、縦置きになっているので、内部のオイルが重量で下に流れ、歯科用ハンドピースのヘッド（先端側）から滲み出してくる。そして、容器の底壁には、吸収部材が敷設されているので、流出するオイルはこの吸収部材に吸収されていく。尚、オイルは速やかに排出されていくが、保管時間があまりに短い場合（３０分以下）には、オイルの残留が多くなるので、できるだけ長く保持することが望ましい。
そして、歯科用ハンドピースを使用するときは、開閉体を開けて必要な歯科用ハンドピースを容器から取り出し、駆動ホースに接続して、治療の用に供する。この場合、歯科用ハンドピースには、多少はオイルの残留があるので、外側のオイルを拭き取り、多少の空回しを行なうことが望ましい。しかしながら、歯科用ハンドピースからは余分なオイルがほとんど除去されているので、作動が円滑に行なわれる。
そのため、従来のように、逐一、歯科用ハンドピースのオイルを拭き取り、駆動ホースに接続して空回して、余分なオイルを除去する時間を短縮できる。また、紫外線による殺菌状態を維持できるため、滅菌パックへの封入の手間も省くことができるので、歯科用ハンドピースの収納時の作業効率の向上が図られる。
また、従来機ではハンドピースジョイント部（ヘッド部の対側）をターンテーブル上の突起に固定する必要があるが、本発明はその手間が不要で作業効率が高くまたジョイント部内面の摩耗も防ぐことができる。またハンドピースジョイント部は異なるメーカや同一メーカでも種類により異なった形状であるため、従来型はそもそも同一種を殺菌することを想定していると考えられ、それ以外のものはそれに応じたアタッチメントをテーブル上に設置する必要がある。また種類に応じて固定部位も制限されると考えられるが、本発明はすべての種類に対してそのままで利用可能であるとともに、コンパクトで治療用椅子ごとに設置することも可能である。
【００１０】
そして、必要に応じ、上記底壁に上記オイルが通過可能な多数の孔を形成した構成としている。これによれば、吸収部材で吸収したオイルが吸収部材から滲み出ても、底壁には多数の孔が形成されているので、この孔から、ケース本体の底面に落下することができ、そのため、底壁に溜まって歯科用ハンドピースを汚す事態を防止することができる。尚、吸収部材を底壁に敷設しなくても良い。この場合には、底壁の多数の孔からケース本体の底面に落下させて溜め、適時に回収するようにすれば良い。
【００１１】
また、必要に応じ、上記底壁に複数の歯科用ハンドピースを仕切る仕切り板を立設した構成としている。容器の底壁には仕切り板が立設されているので、歯科用ハンドピースを確実に縦置きに保持することができ、そのため、オイルの流出を円滑に行なわせることができる。
【００１２】
更に、必要に応じ、上記底壁を側壁に対して上下位置可変にした構成としている。歯科用ハンドピースの長さに合わせて、底壁の上下位置を設定できるので、歯科用ハンドピースの容器の開口から突出する長さを、適正なものにすることができ、そのため、取り出しの際に、歯科用ハンドピースを容易に掴むことができ、取り出しを容易にすることができる。
【００１３】
この場合、上記底壁を側壁に対して上下動可能になるように該側壁に遊嵌する大きさに形成し、該底壁の適宜の上下位置で上記側壁の網目に差し込まれて該側壁に架設され該底壁を支持する支持部材を備えたことが有効である。簡易な構造で、底壁の上下可変機能を実現できる。
【００１４】
また、必要に応じ、上記ケース本体を、上に開口部を有した箱状に形成し、上記開閉体を、該ケース本体の開口部に載置されて該開口部を覆って閉じ、該開口部から離間させられて該開口部を開く蓋状に形成し、上記ケース本体に、該ケース本体の開口部から該ケース本体内に設けられた容器の開口のみを露出させる覆い板を設けた構成としている。これにより、ケース本体の開口部は上向きになっているとともに、歯科用ハンドピースを、縦にして差し込むように入れることができるので、容易に収納を行なうことができる。また、歯科用ハンドピースの取り出しに当たっては、ケース本体の開口部は上向きになっているとともに、歯科用ハンドピースは、縦にして入れられているので、容易に取り出しを行なうことができる。更に、ケース本体の開口部は開閉体で覆われることに加えて、ケース本体内には覆い板が設けられているので、ケース本体外に紫外線が漏れにくくすることができる。
【００１５】
更に、必要に応じ、上記開閉体が上記ケース本体の開口部を閉じたとき上記紫外線照射ランプを点灯し、上記開閉体が上記ケース本体の開口部を開いたとき上記紫外線照射ランプを消灯するスイッチを設けた構成としている。開閉体で開口部を覆うと、スイッチが紫外線照射ランプを点灯し、ケース本体内では、紫外線照射ランプから紫外線が容器内の歯科用ハンドピースに照射され、歯科用ハンドピースに付着した細菌が殺菌される。歯科用ハンドピースを使用するときは、開閉体を開けて必要な歯科用ハンドピースを容器から取り出すが、この場合、スイッチがオフ動作して紫外線照射ランプが消灯される。そのため、紫外線照射ランプから紫外線が外部に漏れ出ることがない。この結果、必要時のみ紫外線照射を行なうことができる。
【発明の効果】
【００１６】
本発明の歯科用ハンドピースの保管ケースによれば、歯科用ハンドピースは、容器に入れられた状態では、縦置きになるので、内部のオイルが重量で下に流れ、歯科用ハンドピースの下端から滲み出してくる。そして、容器の底壁に敷設した吸収部材で流出するオイルを吸収することができる。そのため、従来のように、時間をかけて、歯科用ハンドピースのオイルを拭き取り、駆動ホースに接続して空回して、余分なオイルを除去する時間を短縮でき、滅菌パックへ収納するという煩雑な作業を行なわなくても、保管中に大部分のオイルを除去することができるとともに、紫外線による殺菌状態を持続させることができ、そのため、歯科用ハンドピースの収納時の作業効率の向上を図ることができる。
【発明を実施するための最良の形態】
【００１７】
以下、添付図面に基づいて、本発明の実施の形態に係る歯科用ハンドピースの保管ケースについて詳細に説明する。
図１乃至図４に示すように、本発明の実施の形態に係る歯科用ハンドピースの保管ケースＣの基本的構成は、歯科用ハンドピースＰを出し入れ可能な開口部２を有し歯科用ハンドピースＰを収納するケース本体１と、ケース本体１の開口部２を開閉する開閉体１０と、ケース本体１内に設けられケース本体１内の歯科用ハンドピースＰに紫外線を照射する紫外線照射ランプ２０と、ケース本体１内であってケース本体１の中央に設けられるとともに複数の歯科用ハンドピースＰを起立した状態で収容する２つの容器３０とを備えてなる。
【００１８】
ケース本体１は、上に開口部２を有した箱状に形成されている。ケース本体１は上側部１ａと下側部１ｂを備え、下側部１ｂの開口面積は上側部１ａよりも小さく、上側部１ａと下側部１ｂの境界に段差部３が形成されている。この段差部３には、ケース本体１の開口部２から該ケース本体１内に設けられ並設された２つの容器３０の開口３０ａが臨みこの開口３０ａを露出させる矩形状の露出開口４を有した覆い板５が載置されている。また、ケース本体１において、上側部１ａの開口部２の前後には、切欠き凹所６が形成されており、通気性が確保されているとともに、手が入りやすくなって、歯科用ハンドピースＰを取り出し易いようにしている。更に、ケース本体１において、下側部１ｂの内面にはステンレス製で鏡面仕上げされた反射板７が被覆されている。
開閉体１０は、ケース本体１の開口部２に載置されて開口部２を覆って閉じ、開口部２から離間させられて開口部２を開く蓋状に形成されている。１１は開閉体１０の上側中央に設けられた把手である。
【００１９】
紫外線ランプ２０は、図２に示すように、棒状に形成され、ケース本体１の下側部１ｂ内に設けられた支持部材２１に取り付けられ、図示外の電源にコードを介して接続されて点灯させられる。図１及び図２（ｂ）に示すように、ケース本体１の開口部２には、開閉体１０が開口部２を閉じたとき開閉体１０の重量によりオン作動して紫外線照射ランプ２０を点灯し、開閉体１０が開口部２を開いたときオフ作動して紫外線照射ランプ２０を消灯するスイッチ２２が設けられている。
【００２０】
容器３０は、図１乃至図４に示すように、金属製であり、歯科用ハンドピースＰの一端が支承され歯科用ハンドピースＰ内から流出するオイルを吸収する吸収部材Ｋが敷設可能な底壁３１と、歯科用ハンドピースＰの他端側が寄り掛けられ紫外線照射ランプ２０からの紫外線が透過可能な網状で矩形筒状の側壁３２と備えて構成されている。図３及び図４に示すように、側壁３２の上下開口には夫々線材で形成された補強用の枠体３３，３４が設けられている。この側壁３２の前後には、夫々、各枠体３３，３４の上下に突出する長さで、所定間隔で離間して配置された線材からなる一対の縦ロッド３５が固着されており、この一対の縦ロッド３５の下端間には、ケース本体１の底面１ｃに載置される線材からなる横ロッド３６が架設されている。そして、下側の枠体３４より下方に突出する一対の縦ロッド３５及び横ロッド３６により容器３０をケース本体１の底面１ｃに支持する脚部３７を構成している。また、上側の枠体３３，３４より上方に突出する４本の縦ロッド３５の上端には、上側の枠体３３と略同形状の別の枠体３８が固着されている。
【００２１】
底壁３１は、図３及び図４に示すように、オイルが通過可能な多数の孔４０が形成されたパンチングメタルにより矩形状に形成されている。この底壁３１には複数（実施の形態では２つ）の歯科用ハンドピースＰを仕切る仕切り板４１が所定間隔で立設されている。また、この底壁３１は、側壁３２に対して上下位置可変になっている。詳しくは、底壁３１は、側壁３２に対して上下動可能になるように、側壁３２に遊嵌する大きさに形成されている。また、側壁３２には、底壁３１の適宜の上下位置で側壁３２の網目に差し込まれて側壁３２に架設され、底壁３１を支持する支持部材４２が設けられている。この支持部材４２は、線材の両端を直角に折曲してコ字状に形成され、一対の折曲部４３が側壁３２の網目に差し込まれて側壁３２に架設され、底壁３１を支持する。実施の形態においては、容器３０は、２つ並設され、各容器３０の底壁３１は、歯科用ハンドピースＰの長さに合わせて、適宜の位置に支持部材４２により支持されている。図２（ｂ）に示すように、実施の形態では、一方の容器３０においては短い歯科用ハンドピースＰに対応して底壁３１が支持され、他方の容器３０においては長い歯科用ハンドピースＰに対応して底壁３１が支持されている。
【００２２】
従って、この実施の形態に係る歯科用ハンドピースの保管ケースＣによれば、予め、容器３０の底壁３１に吸収部材Ｋを敷設しておく。吸収部材Ｋとしては、例えば、ガーゼや濾紙が用いられる。そして、開閉体１０を開け、ケース本体１の開口部２から歯科用ハンドピースＰを、ヘッド（先端側）を下にして、適宜の数、容器３０内に縦にして入れる。この歯科用ハンドピースＰは、予め、例えば、高圧蒸気釜（オートクレーブ）や高温のオイルの中で加熱殺菌され、その後、歯科用ハンドピースＰには回転機構部分があることから、注油洗浄機で機械部分に注油されている。そして、実施の形態では、歯科用ハンドピースＰを、注油後、そのまま、容器３０に収容することができる。この場合、ケース本体１の開口部２は上向きになっているとともに、前後に凹所６が形成されているので、歯科用ハンドピースＰが容易に入れられる。しかも、歯科用ハンドピースＰを、縦にして差し込むように入れることができるので、この点でも、容易に収納を行なうことができる。
【００２３】
そして、開閉体１０をケース本体１の開口部２に載置し、開口部２を覆う。これにより、ケース本体１の開口部２に設けたスイッチ２２がオン動作して紫外線照射ランプ２０が点灯され、ケース本体１内では、紫外線照射ランプ２０から紫外線が容器３０内の歯科用ハンドピースＰに照射され、歯科用ハンドピースＰに付着した細菌が殺菌される。この場合、ケース本体１の下側部１ｂには、ステンレス製の反射板７が被覆されているので、紫外線が反射することから、効率よく殺菌が行なわれる。また、ケース本体１の開口部２は開閉体１０で覆われ、更に、ケース本体１内には覆い板５が設けられているので、ケース本体１外に紫外線が漏れにくくなっている。
【００２４】
また、この状態では、歯科用ハンドピースＰは、縦置きになっているので、内部のオイルが重量で下に流れ、歯科用ハンドピースＰのヘッド（先端側）から滲み出してくる。この場合、容器３０の底壁３１には仕切り板４１が立設されているので、歯科用ハンドピースＰを確実に縦置きに保持することができ、そのため、オイルの流出を円滑に行なわせることができる。そして、容器３０の底壁３１には、吸収部材Ｋが敷設されているので、流出するオイルはこの吸収部材Ｋに吸収されていく。尚、オイルは速やかに排出されていくが、保管時間があまりに短い場合（３０分以下）には、オイルの残留が多くなるので、できるだけ長く保持することが望ましい。
そのため、従来のように、逐一、歯科用ハンドピースＰのオイルを拭き取り、駆動ホースに接続して空回して、余分なオイルを除去する時間を短縮することができ、滅菌パックへ収納するという煩雑な作業を行なわなくても、保管中に大部分のオイルを除去することができ、そのため、歯科用ハンドピースＰの収納時の作業効率の向上が図られる。また、吸収部材Ｋで吸収したオイルが吸収部材Ｋから滲み出ても、底壁３１には多数の孔４０が形成されているので、この孔４０から、ケース本体１の底面１ｃに落下することができ、そのため、底壁３１に溜まって歯科用ハンドピースＰを汚す事態を防止することができる。尚、実施の形態では、吸収部材Ｋを底壁３１に敷設したが、必ずしも敷設しなくても良い。この場合には、底壁３１の多数の孔４０からケース本体１の底面１ｃに落下させて溜め、適時に回収するようにすれば良い。
【００２５】
そして、歯科用ハンドピースＰを使用するときは、開閉体１０を開けて必要な歯科用ハンドピースＰを容器３０から取り出す。この場合、ケース本体１の開口部２に設けたスイッチ２２がオフ動作して紫外線照射ランプ２０が消灯される。そのため、紫外線照射ランプ２０から紫外線が外部に漏れ出ることがない。また、歯科用ハンドピースＰの取り出しに当たっては、ケース本体１の開口部２は上向きになっているとともに、前後に凹所６が形成されているので、歯科用ハンドピースＰを容易に取り出すことができる。しかも、歯科用ハンドピースＰは、縦にして入れられているので、この点でも、容易に取り出しを行なうことができる。また、各容器３０の底壁３１は、歯科用ハンドピースＰの長さに合わせて、適宜の位置に支持部材４２により支持されているので、歯科用ハンドピースＰの容器３０の開口３０ａから突出する長さを、適正なものにすることができ、そのため、取り出しの際に、歯科用ハンドピースＰを容易に掴むことができ、この点でも、取り出しを容易にすることができる。
【００２６】
取り出した歯科用ハンドピースＰは、駆動ホースに接続して、治療の用に供する。この場合、歯科用ハンドピースＰには、多少はオイルの残留があるので、外側のオイルを拭き取り、多少の空回しを行なうことが望ましい。例えば、患者に対する使用直前に、１０〜３０秒空回しを行なうとよい。しかしながら、歯科用ハンドピースＰからは余分なオイルがほとんど除去されているので、作動が円滑に行なわれる。
【００２７】
尚、上記の実施の形態において、容器３０の形状や大きさ、あるいは、容器３０の数は上述したものに限定されるものではなく、適宜変更して差支えない。
【図面の簡単な説明】
【００２８】
【図１】本発明の実施の形態に係る歯科用ハンドピースの保管ケースを示す斜視図である。
【図２】本発明の実施の形態に係る歯科用ハンドピースの保管ケースをその使用状態で示し、（ａ）は側面断面図、（ｂ）は正面断面図である。
【図３】本発明の実施の形態に係る歯科用ハンドピースの保管ケースにおいて、容器の構成を示す分解斜視図である。
【図４】本発明の他の実施の形態に係る歯科用ハンドピースの保管ケースの使用状態を示す容器の拡大断面図である。
【図５】従来の歯科用ハンドピースの保管ケースの一例を示す断面図である。
【符号の説明】
【００２９】
Ｃ  保管ケース
Ｐ  歯科用ハンドピース
１  ケース本体
１ａ  上側部
１ｂ  下側部
１ｃ  底面
２  開口部
３  段差部
４  露出開口
５  覆い板
６  凹所
７  反射板
１０  開閉体
１１  把手
２０  紫外線ランプ
２１  支持部材
２２  スイッチ
３０  容器
３０ａ  開口
Ｋ  吸収部材
３１  底壁
３２  側壁
３３，３４  枠体
３５  縦ロッド
３６  横ロッド
３７  脚部
３８  枠体
４０  孔
４１  仕切り板
４２  支持部材
４３  折曲部
【図１】
2009273485.tif 000003
【図２】
2009273485.tif 000004
【図３】
2009273485.tif 000005
【図４】
2009273485.tif 000006
【図５】
2009273485.tif 000007